(57)【要約】　　　（修正有）【課題】介護される者即ち被介護者が介護する者即ち介護者の服装に掴まることができる介護服の提供。【解決手段】介護者が着用する介護着用最外衣にあたる介護服において、細長い長さ方向の両端部分を取付部７とし、取付部と取付部の中間部分を握り部８とし、握り部には手で握るに適した剛性を具備する材料を使用する布バンド２を介護服本体１の適宜箇所に一個又は複数個取り付けた構造とする。【選択図】　図１
0003097308.tif 000002
【実用新案登録請求の範囲】
【請求項１】
介護者が着用する介護着用最外衣にあたる介護服において、細長い長さ方向の両端部分を取付部（７）とし、取付部と取付部の中間部分を握り部（８）とし、握り部には手で握るに適した剛性を具備する材料を使用する布バンド（２）を介護服本体（１）の適宜箇所に一個又は複数個取り付けた構造の介護ベスト。
【請求項２】
手で握るに適した剛性を具備する握り部（８）として、適度な剛性を持つ芯材（９）を布で包んで構成した部材を布バンドの握り部とした請求項１記載の介護ベスト。
【請求項３】
適度な剛性を持つ芯材（９）として、洋服仕立て使用又は類似の毛芯を使用する請求項１及び請求項２記載の介護ベスト。
【考案の詳細な説明】
【０００１】
【考案の属する技術分野】
本考案は、介護される者即ち被介護者が介護する者即ち介護者の服装に掴まることができる介護服に関する。
【０００２】
【従来の技術】
従来、被介護者が寝所から起き上がるのに、敷布団の下に敷き込んだ敷込部に保持され敷布団の側部に沿って高さ調整可能に形成した把持部に手で掴まりながら自力で起き上がるための起き上がり用補助具の技術が知られている（例えば、特許文献１参照）
従来、被介護者が座った状態から立ち上がるのに、二組の側方体を連結体で連結し、側方体と連結体に囲われた内側に出入できる広さの出入口を有する空間部を形成し、両側方体は当該人が座ったままで手を掛けるに適した高さに形成し、空間部に入って座った被介護者が側方体に手を掛けて自力で立ち上がるための立ち上がり補助具の技術が知られている。（例えば、特許文献２参照）
従来、被介護者が歩行するのに、介護者の介護服着用の外側の腰に、腰ベルトを装着し、腰ベルトに連結した連結ベルトやループベルトを介して、ループベルトに保持された把持パイプが介護者の胸前になるようにループベルトを介護者の首に掛け、介護者と立ったまま向かい合った被介護者に介護者着用の把持パイプを両手で握らせ、介護者は被介護者の肩を支えて後退することによって、被介護者は把持パイプに引かれながら前進歩行をすることを助ける歩行補助具の技術が知られている。（例えば、特許文献３参照）
従来、自力で起き上がったり、自力で立ち上がったり、自力で歩いたりすることができない被介護者を介護者が介護する場合に、介護者が直接器具を使用せずに、体に手を添えて起き上がらせたり、体に手を添えて立ち上がらせたり、体に手を添えて歩かせたりする技術が日常使われている。
【０００３】
【特許文献１】
実用新案登録第３０２４８３１号公報
【特許文献２】
特開２０００−２７９４４９号公報
【特許文献３】
特開２０００−２０１９８２号公報
【０００４】
【考案が解決しようとする課題】
特許文献１の敷布団の下に敷き込んだ敷込部に保持され敷布団の側部に沿って形成した把持部に手で掴まりながら自力で起き上がる補助具は、自力で起き上がるためにそれなりの効果があるが、この場合、把持部を具えた起き上がり用の補助具を特別に備えることを必要とする。
特許文献２の二組の側方体を連結体で連結し、側方体と連結体に囲われた出入口を有する空間部に座った被介護者が、適度の高さの側方体に手を掛けて自力で立ち上がる補助具は、自力で立ち上がるためにそれなりの効果があるが、この場合、側方体と連結体を具えた立ち上がり用の補助具を特別に備えることを必要とする。
特許文献１の起き上がり補助具や特許文献２の立ち上がり補助具を使用している場合、体力が弱く介護者の助けを借りなければ行動できない被介護者を介護する時、特別な大型の補助具が脇にあるため、介護者が被介護者を抱き起こしたり抱いて立ち上がらせたりするためには、むしろ邪魔になる。
特許文献３の歩行補助具は、介護者の体に歩行補助器具として把持パイプを取り付けた腰ベルト等を特別に装着することを必要とし、歩行だけの専用器具であるため歩行以外の介護のときには邪魔になるし、日常、介護服の上に着装するにはファッション的にも格好が悪い。
介護者の手だけによって起き上がらせたり、立ち上がらせたり、歩行させたりする場合は、被介護者が介護者の体に手で掴まるため、掴まる場所によっては遠慮もあり、特に被介護者と介護者の間に性差がある場合には羞恥心が伴う時もある。
本考案が解決しようとする課題は、以上のような問題点をなくすことである。
【０００５】
【課題を解決するための手段】
介護者が着用する介護着用最外衣にあたる介護服において、細長い長さ方向の両端部分を取付部とし、取付部と取付部の中間部分を握り部とし、握り部には手で握るに適した剛性を具備する材料を使用する布バンドを介護服本体の適宜箇所に一個又は複数個取り付けた構造の介護ベストを課題を解決するための手段として提供する。
【０００６】
【考案の実施の形態】
以下、本考案の実施の形態について、実施例を図１図２図３により説明する。本考案の介護ベストは、介護者が被介護者を介護する時に着用する介護着用最外衣にあたる介護服において、細長い長さ方向の両端部分を取付部７とし、取付部と取付部の中間部分を握り部８とし、握り部には手で握るに適した剛性を具備する材料を使用する布バンド２を介護服本体１の適宜箇所に一個又は複数個取り付けた構造である。
布バンドの握り部８は、普通の布だけを使用する場合は、手で掴むと曲がって具合良く掴むことができないので、掴んだ時に、掴む力に対してハリがあり、力が直に加えられ体にフィットする素材として、手で握るに適した剛性を具備する材料を使用する。
握り部の剛性付与のために、適度な剛性を持つ芯材９を布で包んだ構造とする実施例がある。
芯材９として、洋服仕立て使用の毛芯を２枚重ねにしたもの又は類似の性質を持つものを芯材として使用し、布地で毛芯を袋包み縫いにし仕上げて使用する実施例がある。
本考案の介護服の実施例として、脱着の楽な洋服型の介護ベストとする。又、色彩、スタイル等ファッション性を重視し、日常必要無いときでも何時でも着用しており、必要なときに直ぐ間に合う態勢のとれる介護ベストとする。
【０００７】
介護ベスト及び布バンドの色彩は、用途によって各種の色彩を採用する実施例がある。
介護ベストを日常の室内着・外出着と兼用して使用する場合は、布バンドだけが特別目立たないように、介護ベスト本体と同色とする。
逆に、布バンドのあることを識別しにくい被介護者がいる場合の布バンドの色彩は、布バンドと介護ベスト本体との識別が簡単にできる色彩を採用して掴みやすくする。
言葉の不自由な被介護者がＹＥＳ・ＮＯの意志伝達をする助けとして、相対する布バンドの色彩を相互に変えて、あらかじめ時間をかけて意味することのルールを教え込み、被介護者がＹＥＳ・ＮＯの表示する布バンドに触れ又は握ることでＹＥＳ・ＮＯの意志伝達の助けとする方法がある。
【０００８】
本考案介護ベストの布バンドの取り付け箇所の例を下記に示す。
介護服本体１の前肩部分の位置に斜め方向又は横方向に前肩布バンド３を取り付ける例がある。
介護服本体１の左右の体側部分の位置に縦方向に体側布バンド４を取り付ける例がある。
介護服本体１の腰回りの位置の横方向に腰位置布バンド５を取り付ける例がある。
介護服本体１の背の部分の位置の縦の方向に背面布バンド６を取り付ける例がある。
その他袖のある介護服場合は、介護服の袖口・腕横等各所に取り付け、取り付け方も各種いろいろと取り付ける例がある。
【０００９】
本考案介護ベストの布バンドの使用法の例を下記に示す。
被介護者が介護を受けながら寝所から起き上がる場合に、介護者が被介護者の腰を前から抱きかかえ、被介護者は介護者の介護ベストの前肩布バンドの握り部に掴まって、介護者の助けを借りながら起き上がる。
被介護者が介護を受けながら床上に立ち上がる場合に、介護者が被介護者を前から抱きかかえ、被介護者は介護者の介護ベストの腰位置布バンドの握り部に掴まって、介護者の助けを借りながら立ち上がる。
又、介護者が被介護者を横から抱きかかえ、被介護者が介護者の体側布バンドの握り部に掴まって、介護者の助けを借りながら立ち上がる。
被介護者が介護を受けながら歩行する場合に、被介護者が連れ添う介護者の背面布バンドの握り部に掴まって、介護者の助けを借りながら、介護者がそろそろと前進することで、被介護者はつられてそろそろと歩く。
又、被介護者が介護者の前肩布バンドの握り部に掴まって、介護者の助けを借りながら、介護者がそろそろと後退歩行をすることにより、被介護者がつられてそろそろと前進歩行をする。
【００１０】
【考案の効果】
特許文献１は、起き上がりの補助具、特許文献２は、立ち上がりの補助具、特許文献３は、歩行補助具を特別に備え付けることを必要とする問題点があるが、本考案の介護ベストを介護服として採用することにより、特別な補助具を必要とせず日常的に使用することができる効果がある。
特許文献１や特許文献２の特別な補助具がある場合、体力が弱く介護者の助けを借りなければ行動できない者の介護には、特別な補助具が脇にあるとむしろ邪魔になる問題点があるが、本考案の介護ベストを介護服として採用することにより、邪魔な特別器具を排除することができる効果がある。
特許文献３は、介護者の体に特別な歩行補助器具として把持パイプを取り付けた腰ベルト等を日常的に特別に介護服の上に装着することは、ファッション的にも格好が悪く、必要の都度着装したり外したりる煩わしい問題点があるが、本考案の介護ベストを介護服として採用することにより、この問題を解消する効果がある。
介護者の手だけによって寝所から起き上がらせたり、座床から立ち上がらせたり、歩行させたりする場合は、被介護者が介護者の体に掴まるということは、とかく遠慮もあり、特に被介護者と介護者の間に性差があると羞恥心が先立つが、介護服本体に取り付けた布バンドの握り部に掴まることは、性差の羞恥心を無くして気軽に掴まることができる効果がある。
介護者も被介護者も、被介護者が介護者の布バンドの握り部に掴まることにより、介護者の一方的な抱え力のみによるより、被介護者の掴まり力が作用して、力の配分の上から効率的で、両者共に体の動きが楽になる効果がある。
布バンドは、毛芯を芯材として使用することにより、布バンドの握り部を被介護者が掴んだ時に、掴む力に対してハリがあり、力が直に加えられ体にフィットする効果がある。
洋服ベストを介護服として使用することにより、介護服にファッション性デザイン性を取り入れることができ、個人的に介護する家庭内や専門の介護職場でも使用できる効果がある。
洋服ベストの介護服は、室内着及びタウン着として着脱が簡単で、気軽に着用することができ、男女別のデザインも可能であるが、男女兼用に着用することも可能である効果がある。
介護ベスト及び布バンドの色彩は、各種の色彩を採用することによって、各種の効果がある。
例えば、介護ベスト本体と同色の布バンドを使用することにより特別目立たないようにして、日常の室内着・外出着と兼用して使用できる効果がある。
逆に、布バンドが介護ベスト本体に設けてあることを識別しにくい被介護者がいる場合、布バンドの色彩を介護ベスト本体と識別しやすい色彩を採用することにより、被介護者が布バンドの握り部を掴みやすくする効果がある。
言葉の不自由な被介護者がＹＥＳ・ＮＯの意志伝達をする場合に、相対する布バンドの色彩を変えて、あらかじめ時間をかけて、ＹＥＳ・ＮＯのルールを教え込み、色彩の違う布バンドのどちらかに触れるか又は握ることによって、被介護者がＹＥＳ・ＮＯの意志伝達を介護者にする助けとする効果がある。
【図面の簡単な説明】
【図１】本考案の実施例を示す正面図である。
【図２】本考案の実施例を示す背面図である。
【図３】本考案の布バンド取り付けの詳細断面図である。
【符号の説明】
１　介護服本体
２　布バンド
３　前肩布バンド
４　体側布バンド
５　腰位置布バンド
６　背面布バンド
７　取付部
８　握り部
９　芯材
【図１】
0003097308.tif 000003
【図２】
0003097308.tif 000004
【図３】
0003097308.tif 000005